(57)【特許請求の範囲】
【請求項１】
遊技盤に固定された支持部材によって所定方向へ進退可能に支持された可動部品と、該可動部品が進退動作する際に該可動部品と相対的に接近したり離間する固定部品と、前記可動部品に設けられたブラケットに対してネジ止め固定される連結部材と、を備え、
前記連結部材は、前記ブラケットにネジ止め固定されるベースと、該ベースによって前記ブラケットに向けて進退自在に支持された調整片と、該ベース上における該調整片の位置を微調整するネジ締結機構と、を備え、
前記進退動作する方向と平行な可動部品の一側端に前記ブラケットはネジ止め固定されており、
前記ネジ締結機構は、前記調整片に形成されて前記遊技盤の前後方向へ夫々延びる小ピン用長穴、及びネジ締結用長穴と、前記ベースに突設した小ピンと、該ベースに形成したネジ穴と、を備え、前記小ピンを前記小ピン用長穴に遊嵌して位置決めした状態で、前記ネジ穴と前記ネジ締結用長穴とをネジによって締結することにより、前記ベースと前記調整片とを位置決め固定する構成を備え、
前記ブラケットと前記ベースとを締結するネジを緩めた状態で、前記ネジ締結機構を調整して前記調整片とブラケットとの当接状態を変更することにより、前記固定部品に対する前記可動部品の位置関係を調整可能に構成したことを特徴とする可動部品調整機構。
【請求項２】
請求項１に記載の可動部品調整機構と、該可動部品を駆動する駆動機構と、を備え、
前記駆動機構は前記連結部材を介して前記可動部品に駆動力を伝達することを特徴とする可動部品調整機構ユニット。
【請求項３】
前記駆動機構は、モータと、該モータにより回転駆動されるピニオンと、該ピニオンにより駆動されるラックと、を備え、
前記連結部材を構成する前記ベースと前記ラックとが一体化されていることを特徴とする請求項２に記載の可動部品調整機構ユニット。
【請求項４】
請求項２又は３に記載の可動部品調整機構ユニットを備えたことを特徴とする遊技盤。
【請求項５】
請求項４に記載の遊技盤を備えたことを特徴とするパチンコ遊技機。
【発明の詳細な説明】
【技術分野】
【０００１】
本発明は、パチンコ遊技機を構成する遊技盤面上において種々動作することによって遊技進行上特徴的な演出効果を発揮するように構成された可動部品の組付け状態を微調整するための可動部品調整機構、可動部品調整機構ユニット、遊技盤、及びパチンコ遊技機に関する。
【背景技術】
【０００２】
パチンコ遊技機においては、遊技盤の盤面に入賞口、風車、図柄表示装置、電飾装置等の各種盤面部品を設けて遊技内容の多様性を図っている。例えば、遊技の進行中における入賞、その他の状況変化を契機として可動部品を種々の方向、態様に動作、変形させることにより演出効果を高めている。
例えば、遊技盤に設けられた始動入賞口に遊技球が入賞すると、遊技盤中の図柄表示装置に表示される図柄が変動を開始し、所定時間経過後に停止した図柄が予め定めた大当たり図柄となった場合に大当たり状態となり、遊技者が大量の出球を獲得できるようになっている。このような遊技機では、遊技の興趣を高めるために可動部品を用いた様々な表示演出が行われる。
【０００３】
例えば、図８（ａ）及び（ｂ）に示した盤面部品（可動装飾体）１００は樽の形状を象ったものであり、この盤面部品１００は、図示しない遊技盤側に固定された固定側の下部樽片１０１と、下部樽片１０１の上面に向けて昇降自在に支持された可動部品としての上部樽片１０５と、から構成されている。上部樽片１０５は、連結部材１１０を介して駆動機構１１５と連結されて昇降駆動される。駆動機構１１５は、モータ１１６と、モータの出力ギヤ１１７により駆動されるピニオン１１８と、ラック１１９と、を備え、連結部材１１０はラック１１９と一体化されている。連結部材１１０と上部樽片１０５から突設されたブラケット部１０５ａとは、ネジ１２０により固定されている。即ち、ブラケット１０５ａと連結部材１１０には夫々ネジ穴が形成され、各ネジ穴同志を連通させた状態でネジ１２０を螺着することにより、上部樽片１０５は連結部材１１０に固定される。
固定された下部樽片１０１のギザギザ状の上面と、可動部品としての上部樽片１０５のギザギザ状の下面とは互いに噛み合うように構成されており、連結部材１１０とブラケット部１０５ａをネジ１２０により固定することにより両者を整合状態で噛合させるように構成されている。
しかし、実際の組付け工程では、図８（ｂ）に破線で示すように下部樽片１０１に対する上部樽片１０５の位置が前後方向に位置ずれ（例えば１〜３ｍｍ程度）することがあり、このような位置ずれは連結部材１１０と駆動機構１１５を遊技盤に対して組み付け直したり、部品交換することにより修正する必要があった。
【０００４】
特許文献１には、遊技盤の前面側に配置された可動部品を、遊技盤の裏面側に固定された駆動部品に対して正確に組み付けるためのネジ止め機構が開示されている。
しかし、特許文献１に開示された可動部品の動作は駆動部品を中心として回転するだけの単純動作に過ぎず、しかも可動部品を一旦駆動部品に固定した場合には両部品の相対位置関係を微調整することはできない。また、所定の動作軌跡に沿って直線的、或いは曲線的に進退移動する可動部品の姿勢や、他の部品との結合状態（例えば、図８における上下の樽片間の結合状態）を正確に微調整することができる構成は開示されていない。
【特許文献１】特開２００５−１８５５８７公報
【発明の開示】
【発明が解決しようとする課題】
【０００５】
以上のように従来のパチンコ遊技機における可動部品の支持構造にあっては、一旦可動部品を組み付けた後に位置ずれが発見されると、可動部品とその支持部材を取り外して組み付け直したり、部品交換する必要があった。このため、製造手数の増大による生産性の低下、コストアップという不具合をもたらしていた。
本発明は上記に鑑みてなされたものであり、組付け直しや部品交換を行わずに、組付け完了後における可動部品の位置ずれをネジ操作による簡単な微調整により解消することができる可動部品調整機構、可動部品調整機構ユニット、遊技盤、及びパチンコ遊技機を提供することを目的としている。
【課題を解決するための手段】
【０００６】
上記目的を達成するため、請求項１の発明に係る可動部品調整機構は、遊技盤に固定された支持部材によって所定方向へ進退可能に支持された可動部品と、該可動部品が進退動作する際に該可動部品と相対的に接近したり離間する固定部品と、前記可動部品に設けられたブラケットに対してネジ止め固定される連結部材と、を備え、前記連結部材は、前記ブラケットにネジ止め固定されるベースと、該ベースによって前記ブラケットに向けて進退自在に支持された調整片と、該ベース上における該調整片の位置を微調整するネジ締結機構と、を備え、前記進退動作する方向と平行な可動部品の一側端に前記ブラケットはネジ止め固定されており、前記ネジ締結機構は、前記調整片に形成されて前記遊技盤の前後方向へ夫々延びる小ピン用長穴、及びネジ締結用長穴と、前記ベースに突設した小ピンと、該ベースに形成したネジ穴と、を備え、前記小ピンを前記小ピン用長穴に遊嵌して位置決めした状態で、前記ネジ穴と前記ネジ締結用長穴とをネジによって締結することにより、前記ベースと前記調整片とを位置決め固定する構成を備え、前記ブラケットと前記ベースとを締結するネジを緩めた状態で、前記ネジ締結機構を調整して前記調整片とブラケットとの当接状態を変更することにより、前記固定部品に対する前記可動部品の位置関係を調整可能に構成したことを特徴とする。
可動部品が固定部品と接近した際に両部品間に位置ずれがあると遊技の興趣を低下させるが、可動部品を取り外して組み付け直したり、部品交換する手間は避けたい。本発明では、連結部材を利用した簡単なネジ調整によって可動部品の姿勢を正しい状態に調整することが可能となる。
【０００７】
請求項２の発明に係る可動部品調整機構ユニットは、請求項１に記載の可動部品調整機構と、該可動部品を駆動する駆動機構と、を備え、前記駆動機構は前記連結部材を介して前記可動部品に駆動力を伝達することを特徴とする。
請求項３の発明は、請求項２において、前記駆動機構は、モータと、該モータにより回転駆動されるピニオンと、該ピニオンにより駆動されるラックと、を備え、前記連結部材を構成する前記ベースと前記ラックとが一体化されていることを特徴とする。
ベースとラックが一体化されているので、部品点数を低減でき、構成をシンプル化することができる。
請求項４の発明に係る遊技盤は、請求項２又は３に記載の可動部品調整機構ユニットを備えたことを特徴とする。
請求項５の発明に係るパチンコ遊技機は、請求項４に記載の遊技盤を備えたことを特徴とする。
【発明の効果】
【０００８】
以上のように本発明では、可動部品と、固定部品と、可動部品に設けられたブラケットに対してネジ止め固定される連結部材と、を備え、連結部材は、ブラケットにネジ止め固定されるベースと、ベースによってブラケットに向けて進退自在に支持された調整片と、ベース上における調整片の位置を微調整するネジ締結機構と、を備えたので、組付け直しや部品交換を行わずに、組付け完了後における可動部品の位置ずれをネジ操作による簡単な微調整により解消することができる。
【発明を実施するための最良の形態】
【０００９】
以下、本発明を図面に示した実施の形態により詳細に説明する。
図１は、本発明の一実施形態に係るパチンコ遊技機の構成例を示した全体正面図である。
パチンコ遊技機１は、矩形形状の枠２を有し、この枠２の窓孔に対して裏側から遊技盤３が着脱可能に取り付けられている。
遊技盤３の前面側には、図示しないガラス枠が開閉可能に取り付けられている。また遊技盤３の下部には遊技球を貯留する受け皿部４と、受け皿部４内の遊技球を発射する発射レバー５等が設けられている。また、受け皿部４の上部には遊技機用ボタンスイッチや、遊技球の購入ボタン、購入取り消しボタンが設けられている。
遊技盤３の裏面には、液晶画面、主制御基板とサブ制御基板等、遊技の進行、演出に関わる裏部品を組み付けた合成樹脂製の機構板（何れも図示せず）が開閉自在に装着されている。遊技盤３における遊技領域３ａの周囲には、発射レバー５を操作することにより発射装置から発射された遊技球を遊技領域３ａの上部に案内したり、アウト口１５に案内する外レールＲ１、及び内レールＲ２が設けられている。
【００１０】
遊技盤３のほぼ中央部には、中央が開口したセンター部材７が配置される。センター部材７の内部には図柄表示装置９が配置されている。図柄表示装置９は、例えば、液晶表示装置等の液晶表示パネルによって構成され、通常動作状態の時は、図示しない特別図柄画像が表示される。また、いわゆる特別遊技状態の時は、特別遊技状態であることを示す演出画像等が表示される。
センター部材７の右側には可動装飾体（可動部品）３０が設けられている。可動装飾体３０は、この例では遊技の進行に関与するギミックである樽を象ったものである。
センター部材７の下方には、図柄表示装置９の特別図柄を可変表示させるための可変入賞装置１１が設けられている。また、センター部材７の左側には、遊技盤の右下部に配置された普通図柄表示装置１０に表示される普通図柄を作動させるためのゲート１２が設けられている。さらに可変入賞装置１１の下方には、特別遊技状態の一つである大当たり状態のときに開成状態になる開閉扉を有する大入賞口１３が設けられている。
可変入賞装置１１は、図柄表示装置９を可変表示させるための上始動ポケット１４と、左右一対の開閉爪（可動片）を有する図示しない電動式チューリップとを備えて構成される。
遊技盤３には普通入賞口１６やアウト口１５等が設けられていると共に、風車や図示しない多数の遊技釘が突設されている。遊技釘は、遊技球の落下速度を遅くすると共に、落下方向を複雑に変化させて遊技進行上の興趣を高めている。
【００１１】
普通図柄表示装置１０に表示される普通図柄は、１個または複数個の図柄を変動表示可能であり、普通図柄始動口としてのゲート１２が遊技球を検出することを条件に、その図柄が乱数制御等により所定時間可変して停止するようになっている。
普通図柄としては、数字図柄、アルファベット図柄、キャラクター図柄、その他の適宜の遊技図柄が使用される。そして、ゲート１２を遊技球が通過したことを条件に乱数制御により普通図柄が所定態様となった場合に、可変入賞装置１１に設けられた電動式チューリップから成る可動片を所定時間、開成動作するように構成されている。
【００１２】
図柄表示装置９に表示される特別図柄は、停止図柄が予め定められた図柄の組合せ、例えば同一図柄の組合せとなった場合に大当たり状態となるように構成されている。また特別図柄は可変入賞装置１１の上始動ポケット１４又は電動式チューリップの開成動作により遊技球が誘導される下始動口（図示していない）において遊技球を検出することを条件に乱数制御等により表示がスクロールする等、所定の変動パターンで所定時間変動（可変）して図柄で停止するようになっている。その際、有効ライン上に２個の停止図柄が同一となった場合に、リーチ状態が発生し、このリーチ状態において、有効ライン上の最後の停止図柄が既に停止している２個の図柄と同一となった場合に大当たり状態が発生する。なお、特別図柄としては、数字図柄、アルファベット図柄、キャラクター図柄等が使用可能である。
【００１３】
図２（ａ）（ｂ）及び図３（ａ）（ｂ）は本発明の一実施形態に係る可動部品調整機構、及び可動部品調整機構ユニットの動作パターンを説明するための図である。図２は上下の樽片が連結した閉止状態、図３は上下の樽片が離間した開放状態を夫々示している。
可動装飾体３０は、遊技盤３に固定された支持部材２０によって所定方向（上下方向）へ進退可能に支持された可動部品としての上部樽片３１と、上部樽片３１の進退動作の過程において上部樽片と接近したり離間するように配置された固定部品としての下部樽片３４と、を備えている。上部樽片３１の下部のギザギザ部と、下部樽片３４の上部のギザギザ部とは、両樽片の閉止時に図２（ａ）に示すように正しく噛み合った状態となるように構成されている。
【００１４】
上部樽片３１はその側部にブラケット３２を備えている。ブラケット３２は上部樽片３１の側部に一体化されており、後述する連結部材４０を介して駆動機構６０と上部樽片３１とを連結する手段である。
可動部品調整機構ユニットＵは、可動装飾体３０と、上部樽片３１に設けられたブラケット３２に対してネジ止め固定される連結部材４０と、上部樽片３１を昇降させる駆動機構６０と、を備えている。駆動機構６０は連結部材４０を介して上部樽片３１に駆動力を伝達する。
連結部材４０は、ブラケット３２に貫通形成された２つのネジ穴３２ａと夫々連通するネジ穴を端面に有しネジ３５によりブラケット３２とネジ止め固定されるベース４１と、ベース４１によってブラケット３２に向けて進退自在に支持された板状の調整片４５と、ベース４１上における調整片４５の位置（横方向位置）を微調整するネジ締結機構５０と、を備えている。
【００１５】
図４（ａ）のユニット拡大図、及び（ｂ）の調整片構成図に示すように、連結部材４０を構成するベース４１の一面には２本の小ピン４２を突設し、各小ピン４２に近接した横方向位置には図示しないネジ穴が形成されている。ベース４１の一面に添設される調整片４５には各小ピン４２を夫々嵌合する長穴（小ピン用長穴）４６と、図示しないネジ穴と連通する長穴（ネジ締結用長穴）４７が形成されている。従って、調整片４５は、小ピン４２と長穴４６によって横方向（ブラケット３２の端面に向けて進退する方向）へ移動可能に構成されている。一方、長穴４７を介してベース４１上のネジ穴に止めネジ５１を螺着することにより、調整片４５をベース４１上の任意の横方向位置に固定することができる。なお、各ピン４２、ネジ穴、及び各長穴４６、４７は、ネジ締結機構５０を構成している。調整片４５は、ベース４１の上下端縁に夫々設けた突状のガイド４１ａによって上下端縁を横方向へ進退自在に支持されると共に、その先端部（ブラケット側端部）にはブラケットを押圧する小突起状の押圧部４８を有している。上部樽片３１側に図示しないＬＥＤ等の電気により作動する部材を配置する場合には、調整片４５の裏面側に設けた溝４５ａ内に他の固定部位から延びてくるケーブルを配線し、ブラケット３２を経由してＬＥＤ等に結線する。
駆動機構６０は、モータ６１と、モータ６１の出力ギヤ６２により駆動されるピニオン６３と、ラック６５と、を備え、連結部材４０を構成するベース４１と、ラック６５とは一体化されている。ベース４１とラック６５とが一体化されているので、部品点数を低減でき、構成をシンプル化することができる。
【００１６】
可動装飾体３０が図２の閉止状態にあるときに、モータ６１を開放方向へ回転駆動させることによりその駆動力は出力ギヤ６２、ピニオン６３、ラック６５へと順次伝達され、図３に示すように上部樽片３１を上昇させて可動装飾体３０を開放状態へと移行させる。逆に、可動装飾体３０が図３の開放状態にあるときに、モータ６１を閉止方向へ回転駆動させることによりその駆動力は出力ギヤ６２、ピニオン６３、ラック６５へと順次伝達され、図２に示すように上部樽片３１を下降させて可動装飾体３０を閉止状態へと移行させる。
符号７０はフォトセンサ（フォトインタラプタ）であり、ラック６５から突出した被検知片６６の進入、通過を検知可能に構成されている。  
通常時、上部樽片３１は図２のように下降した状態で停止しており、モータ６１に通電して開放方向へ回転することによりギヤ群を介して上部樽片３１は上昇を開始する。上部樽片３１が図３のように上昇し終わると、モータ６１に通電されなくなり停止する。再びモータ６１に通電して逆回転すると、上部樽片３１が下降を開始し、フォトセンサ７０が被検知片６６を検知することによりモータへの通電が遮断されて停止する。
【００１７】
次に、図５（ａ）（ｂ）及び（ｃ）は調整片がニュートラルの状態にある場合を示す正面図、平面図、及び側面図であり、図６（ａ）（ｂ）及び（ｃ）は調整片がブラケットを押し出すことにより可動部品を後方へ変位させた状態を示す正面図、平面図、及び側面図であり、図７（ａ）（ｂ）及び（ｃ）は調整片がブラケットを引っ込ませることにより可動部品を前方へ変位させた状態を示す正面図、平面図、及び側面図である。
本発明の連結部材４０においては、ネジ３５を緩めることによりブラケット３２とベース４１との締結状態を解除した上で、止めネジ５１を緩めて調整片４５を横方向へ進退させて調整片の押圧部４８によりブラケット３２を押圧したり、押圧を解除することができる。調整片４５の位置を確定した後で、各ネジ３５、５１を締結する。
図５に示したニュートラル状態においては、調整片４５は上部樽片３１が正面を向いた正規姿勢に保持している。
【００１８】
一方、図６に示すように上部樽片３１が後方へ引っ込むように傾斜している場合には、上部樽片３１下部のギザギザ部と、下部樽片３４上部のギザギザ部とが噛み合い不良な状態となっており不具合である。このような上部樽片３１の不良姿勢を図５の正規な姿勢に戻すために、ネジ３５、及び止めネジ５１を緩めた状態で調整片４５を所要距離後方へ退避させて押圧部４８をブラケット３２から離間させてから、ブラケット３２が押圧部４８に当接するまで上部樽片３１全体を前方へ向けて回動させる。このような調整作業によって両樽片のギザギザ部同志が正常に噛み合った状態になった時点で、ネジ３５及び止めネジ５１を締結して固定する。
【００１９】
また、図７に示すように上部樽片３１が前方へ突出するように傾斜している場合にも、上部樽片３１下部のギザギザ部と、下部樽片３４上部のギザギザ部とが噛み合い不良な状態となっており不具合である。このような上部樽片３１の不良姿勢を図５の正規な姿勢に戻すために、ネジ３５、及び止めネジ５１を緩めた状態で調整片４５を所要距離前方へ突出させて押圧部４８によりブラケット３２を押圧し、上部樽片３１全体を後方へ向けて回動させる。このような調整作業によって両樽片のギザギザ部同志が正常に噛み合った状態になった時点で、ネジ３５及び止めネジ５１を締結して固定する。
このように本発明の可動部品調整機構ユニットＵは、ブラケット３２とベース４１とを締結するネジ３５と、ベース４１上における調整片４５の位置を調整するネジ締結機構５０とによって、上部樽片（可動部品）３１の前後方向への傾斜角度を微調整可能としたので、可動部品調整機構ユニット全体を交換したり、取付けし直す等の煩雑な作業を伴わずに、上部樽片の姿勢、位置をミリ単位で微調整することができる。
【００２０】
なお、パチンコ遊技機の他の詳細な構成については図示説明していないが、本願発明の技術的範囲中にパチンコ遊技機、及び遊技盤が含まれることに疑いがない。
【図面の簡単な説明】
【００２１】
【図１】本発明の一実施形態に係るパチンコ遊技機の構成例を示した全体正面図である。
【図２】（ａ）（ｂ）は本発明の一実施形態に係る可動部品調整機構、及び可動部品調整機構ユニットの動作パターンを説明するための図である。
【図３】（ａ）（ｂ）は本発明の一実施形態に係る可動部品調整機構、及び可動部品調整機構ユニットの動作パターンを説明するための図である。
【図４】（ａ）はユニット拡大図、（ｂ）は調整片構成図である。
【図５】（ａ）（ｂ）及び（ｃ）は調整片がニュートラルの状態にある場合を示す正面図、平面図、及び側面図である。
【図６】（ａ）（ｂ）及び（ｃ）は調整片がブラケットを押し出すことにより可動部品を後方へ変位させた状態を示す正面図、平面図、及び側面図である。
【図７】（ａ）（ｂ）及び（ｃ）は調整片がブラケットを引っ込ませることにより可動部品を前方へ変位させた状態を示す正面図、平面図、及び側面図である。
【図８】（ａ）及び（ｂ）は従来の可動装飾体における可動部品の構成を示す図である。
【符号の説明】
【００２２】
１…パチンコ遊技機、２…枠、３…遊技盤、３ａ…遊技領域、４…皿部、５…発射レバー、７…センター部材、１０…普通図柄表示装置、１１…可変入賞装置、１２…ゲート、１３…大入賞口、１４…上始動ポケット、１５…アウト口、１６…普通入賞口、２０…支持部材、３０…可動装飾体、３１…上部樽片（可動部品）、３２…ブラケット、３２ａ…ネジ穴、３４…下部樽片（固定部品）、３５…ネジ、４０…連結部材、４１…ベース、４１ａ…ガイド、４２…小ピン、４５…調整片、４５ａ…溝、４６…長穴、４７…長穴、４８…押圧部、５０…ネジ締結機構、５１…ネジ、６０…駆動機構、６１…モータ、６２…出力ギヤ、６３…ピニオン、６５…ラック、６６…被検知片、７０…フォトセンサ。
【図１】
0004646958.tif 000002
【図２】
0004646958.tif 000003
【図３】
0004646958.tif 000004
【図４】
0004646958.tif 000005
【図５】
0004646958.tif 000006
【図６】
0004646958.tif 000007
【図７】
0004646958.tif 000008
【図８】
0004646958.tif 000009